(57)【要約】【課題】過給機を備えた往復動内燃機関の排ガス中のＮＯＸをＳＣＲシステムで除去する場合に、往復動内燃機関の過度特性悪化を抑制して排ガス中のＮＯＸ除去を可能とする。【解決手段】過給機３０が排気管３８，４４，４８に設けられた往復動式舶用ディーゼル機関１０において、タービン３４の上流側排気管３８に尿素水溶液供給部４２を設け、尿素水溶液タンク４０から尿素水溶液ｂを供給する。排ガスの保有熱で尿素水溶液ｂを蒸発させかつアンモニアガスに加水分解する。アンモニアガスはタービン３４の強い乱流場で排ガスと均一に攪拌混合される。その後排ガスは過給機３０の下流側排気管４４に設けられたＳＣＲ触媒コンバータ４６でアンモニアガスが排ガス中のＮＯＸを還元し、窒素と水蒸気に変える。タービン３４の上流側排気管３８に尿素水溶液ｂを供給するので、助燃バーナ等の追加加熱設備なしでアンモニアガスを発生できる。【選択図】図１
2011127471.tif 000002
【特許請求の範囲】
【請求項１】
過給機が設けられた往復動内燃機関の排気経路に還元剤を供給し、還元触媒で該還元剤と排気中のＮＯＸを反応させてＮＯＸを除去するようにした往復動内燃機関の排ガス浄化方法において、
前記往復動内燃機関と過給機との間の排気経路に尿素水溶液を供給し、排ガスの保有熱で尿素水溶液をアンモニアガスに加水分解させる尿素分解ステップと、
前記アンモニアガスを該過給機のタービン内に形成される排ガスの乱流場に導入して排ガスと均一に混合させる混合ステップと、
該タービンの下流側排気経路で、還元触媒の存在下でアンモニアガスで排ガス中のＮＯＸを還元して除去する還元ステップと、からなることを特徴とする往復動内燃機関の排ガス浄化方法。
【請求項２】
前記還元ステップ後の排ガス中のアンモニア濃度を検知し、この検知値に基づいて尿素水溶液の供給量を調整して排ガス中の残留アンモニア濃度を低減するようにしたことを特徴とする請求項１に記載の往復動内燃機関の排ガス浄化方法。
【請求項３】
往復動内燃機関の運転状態量を検知し、この検知値に対応して尿素水溶液の供給量を該運転状態量に応じて予め設定された供給量に調整し、排ガス中のＮＯＸ濃度及び残留アンモニア濃度を低減するようにしたことを特徴とする請求項１又は２に記載の往復動内燃機関の排ガス浄化方法。
【請求項４】
過給機が設けられた往復動内燃機関の排気経路に、還元剤供給部と、該還元剤供給部の下流側に還元触媒により排ガスと還元剤とを反応させてＮＯＸを低減する還元部とを設けた往復動内燃機関の排ガス浄化システムにおいて、
往復動内燃機関と過給機との間の排気経路に設けられ尿素水溶液を排ガス中に供給する尿素水溶液供給部と、
該尿素水溶液供給部と過給機との間の排気経路に設けられ、排気経路に供給された尿素水溶液が過給機に到達するまでに排ガスの保有熱で尿素水溶液をアンモニアガスに加水分解させる尿素分解領域と、
過給機の下流側排気経路に設けられ、還元触媒の存在下でアンモニアガスで排ガスのＮＯＸを還元して除去する還元部と、を備えたことを特徴とする往復動内燃機関の排ガス浄化システム。
【請求項５】
前記尿素水溶液供給部が往復動内燃機関と排気集合管とに接続された排気枝管に設けられると共に、往復動内燃機関のクランクの位相を検知する位相検知センサを設け、
往復動内燃機関の排気弁が開放されたタイミングに合わせて尿素水溶液を排気枝管に供給するように構成したことを特徴とする請求項４に記載の往復動内燃機関の排ガス浄化システム。
【請求項６】
前記尿素水溶液供給部で尿素水溶液を排ガス中に噴霧するようにし、尿素水溶液供給部の位置を噴霧された尿素水溶液が過給機に到達する前に気化可能な位置に設定したことを特徴とする請求項４又は５に記載の往復動内燃機関の排ガス浄化システム。
【発明の詳細な説明】
【技術分野】
【０００１】
本発明は、例えば舶用ディーゼル機関等の往復動内燃機関に適用される排ガス浄化方法及び排ガス浄化システムに関する。
【背景技術】
【０００２】
ディーゼル機関は、ガソリン機関よりも燃費に優れていることから、輸送業界などで舶用、自動車用などに広く用いられている。しかし、排気ガス中に含まれている未燃焼燃料などの粒子状物質（ＰＭ；Ｐａｔｉｃｕｌａｔｅ  Ｍａｔｔｅｒ）や、窒素酸化物として知られているＮＯＸ（ＮＯ、ＮＯ２等）などが問題になっている。そこで、排気ガスからこのＮＯＸを除去するための手段として、尿素水の加水分解によって得られたアンモニアガスにより、排気ガス中に含まれるＮＯＸを触媒上で還元して除去する方法が知られている。この方法は、ＳＣＲ（Ｓｅｌｅｃｔｉｖｅ  Ｃａｔａｌｙｔｉｃ  Ｒｅｄｕｃｔｉｏｎ；選択性還元触媒）システムとして知られている。
【０００３】
特許文献１（特開２００９−２０９８９６号公報）には、このＳＣＲシステムが開示されている。このＳＣＲシステムは、排気経路中の前段側において、ディーゼル機関の排気ガス中のＰＭと気体状の炭化水素成分とを取り除いた後、後段側に設けられたＳＣＲ触媒上でアンモニアガスとＮＯＸとを反応させることによって、ＮＯＸを還元して窒素と水とを得るものである。
【０００４】
アンモニアガスは毒性を有するため、取り扱いが容易ではなく、そのため二重配管としたり、あるいはアンモニアの蒸発を防ぐため、配管や容器を低温に保持する必要があった。そのため、排気ガスに尿素水溶液（ＣＯ（ＮＨ２）２・ａｑ）をミスト状に噴霧し、排気ガスの熱により尿素水溶液を気化させると共に、この尿素水溶液を加水分解してアンモニアガスを得るようにしている。
【０００５】
また、大気に放出できるアンモニアガスの濃度は、極めて厳しい基準に規定されているため、排ガス中のＮＯＸに対するアンモニアガス量が当量以下となるように、尿素水溶液の供給量を調整し、還元反応後にアンモニアが残留しないようにする必要がある。
【０００６】
往復動式低速舶用ディーゼル機関では、排気経路に過給機が設けられている場合、後述する理由により、過給機の排気経路下流側にＳＣＲ触媒が配置されていた。この構成を図６及び図７に示す。
図６及び図７において、２サイクルの往復動式舶用ディーゼル機関１００は、複数のシリンダ１０２と、掃気室１１４と、排気集合管１１６とから構成されている。シリンダ１０２の下部にはクランク室１０４が設けられ、クランク室１０４内にクランク軸１０８が設けられている。シリンダ１０２の内部に設けられたピストン１０６がピストンロッド１１０を介してクランク軸１０８に接続されている。
【０００７】
各シリンダ１０２の上部にシリンダヘッド１０２ａが設けられ、各シリンダヘッド１０２ａは、排気枝管１１８を介して排気集合管１１６と接続されている。シリンダヘッド１０２ａの出口には排気弁１１２が設けられている。
【０００８】
過給機１２０のコンプレッサ１２２で圧縮された被圧縮空気ａは、掃気管１２６及び掃気室１１４を介してシリンダ１０２に供給される。シリンダ１０２から排出される排ガスは、排気枝管１１８を介して排気集合管１１６に排出される。排気集合管１１６から排気管１２８に排出された排ガスは、過給機１２０のタービン１２４を駆動させた後、排気管１３０に排出される。排気管１３０に排出された排ガスは、ＳＣＲ触媒が内蔵されたＳＣＲ触媒コンバータ１３２に達する。排気管１３０に尿素水溶液ｂ又はアンモニア水溶液ｃが噴霧され、尿素水溶液ｂは排ガスの温度で蒸発し、加水分解してアンモニアガスに変わる。
【０００９】
そして、ＳＣＲ触媒コンバータ１３２に内蔵されたＳＣＲ触媒上でアンモニアガスと排ガス中のＮＯＸとが反応し、ＮＯＸが窒素と水蒸気に還元される。こうしてＮＯＸが除去された排ガスが排気管１３４を経て煙突１３６から排出される。図中の数値は、排気管１２８又は１３０を流れる排ガスの温度を示す。
【先行技術文献】
【特許文献】
【００１０】
【特許文献１】特開２００９−２０９８９６号公報
【発明の概要】
【発明が解決しようとする課題】
【００１１】
過給機１２０の下流側の排気管１３０にＳＣＲ触媒コンバータ１３２を配置した場合、排気温度が２５０℃程度と低くなり、ＳＣＲ触媒がその触媒機能を発揮できる温度である３２０℃前後に達しない。従って、ＳＣＲ触媒がその触媒機能を発揮できない。特に、毒性があるアンモニアに比べてハンドリングが比較的容易な尿素水を用いる場合、尿素水からアンモニアに変換する化学反応は、さらに高い温度（３５０℃以上）が必要になる。
この温度条件を満たすため、助燃バーナ等の追加加熱設備を設けて排ガスを加熱する手段があるが、この手段は、往復動式内燃機関のトータルの燃費悪化に繋がる。
【００１２】
このため、タービン１２４の上流側の排気管１２８にＳＣＲ触媒コンバータ１３２を設ける案が考えられる。しかし、この案では、排気温度は条件を満たすが、熱容量が大きいＳＣＲ触媒がタービン１２４に供給されるべき熱量を奪い去るため、舶用ディーゼル機関１００の過度特性の悪化が懸念される。
このように、尿素水の供給とＳＣＲ触媒とからなる組み合わせが過給機の上流側又は下流側のいずれかにあっても夫々前述のような問題がある。
【００１３】
本発明は、かかる従来技術の課題に鑑み、過給機を備えた内燃機関の排ガス中のＮＯＸをＳＣＲシステムで除去する場合に、内燃機関の過度特性を悪化させることなく、排ガス中のＮＯＸ除去を可能とすることを目的とする。
【課題を解決するための手段】
【００１４】
かかる目的を達成するため、本発明の往復動内燃機関の排ガス浄化方法は、
過給機が設けられた往復動内燃機関の排気経路に還元剤を供給し、還元触媒で該還元剤と排気中のＮＯＸを反応させてＮＯＸを除去するようにした往復動内燃機関の排ガス浄化方法において、
往復動内燃機関と過給機との間の排気経路に尿素水溶液を供給し、排ガスの保有熱で尿素水溶液をアンモニアガスに加水分解させる尿素分解ステップと、
前記アンモニアガスを該過給機のタービン内に形成される排ガスの乱流場に導入して排ガスと均一に混合させる混合ステップと、
該タービンの下流側排気経路で、還元触媒の存在下でアンモニアガスで排ガス中のＮＯＸを還元して除去する還元ステップと、からなるものである。
【００１５】
本発明方法では、尿素水溶液を往復動式内燃機関と過給機との間の排気経路に供給し、尿素水溶液が過給機のタービンに達するまでに、排ガスの保有熱で尿素水溶液を蒸発させアンモニアガスに加水分解させるようにする。次に、生成したアンモニアガスをタービン内に形成される強い乱流場で排ガスと均一に混合させ、この状態で還元触媒の存在下でアンモニアガスと排ガス中のＮＯＸを反応させ、ＮＯＸを還元させる。
【００１６】
このように、尿素水溶液供給部を過給機の上流側に配置したことにより、尿素水溶液をより高温の排ガス中に噴霧することができ、アンモニアガスを効率よく生成することが可能となる。また、気化したアンモニアガスがタービンに入り、タービン内の強い乱れ場にさらされてＳＣＲ触媒に入るため、より排ガスとアンモニアガスの混合を促進することができる。その際、噴霧する尿素水が過給機に到達する前に気化するように尿素水供給位置を設定してあるとより効果的である。
【００１７】
また、熱容量の大きなＳＣＲ触媒を過給機の下流側に配置しているため、尿素水溶液供給部とＳＣＲ触媒とを共に過給機の上流側に配置する場合に比べて、往復動内燃機関の過度特性悪化を抑制できる。
その結果、内燃機関の燃費悪化につながる助燃バーナ等加熱設備の追設無しで、十分な排ガス浄化性能を確保することが可能となる。
【００１８】
本発明方法において、還元ステップ後の排ガス中のアンモニア濃度を検知し、この検知値に基づいて尿素水溶液の供給量を調整して排ガス中の残留アンモニア濃度を低減するようにするとよい。これによって、排ガス中に残留するアンモニア濃度を低減でき、毒性を有するアンモニアの外部放出量をごく微量に低減できる。
【００１９】
本発明方法において、往復動内燃機関の運転状態量を検知し、この検知値に対応して尿素水溶液の供給量を予め設定された量に調整し、排ガス中のＮＯＸ濃度及び残留アンモニア濃度を低減するようにするとよい。このように、往復動内燃機関の運転状態に応じて尿素水溶液の供給量を調整することで、往復動内燃機関の運転状態が変わっても、ＮＯＸの還元反応に十分な尿素を供給できると共に、排ガス中の残留アンモニア濃度を低減できる。
【００２０】
往復動内燃機関の運転状態を表す状態量として、例えば、往復動内燃機関の回転数、出力及び排ガス温度がある。該回転数及び出力から排ガス量を求めることができる。これらの状態量から求めた排ガス量と排ガス温度とに対して予め設定された尿素水溶液の供給量とすることにより、ＮＯＸ量及び残留アンモニア量を共に低減できる。
【００２１】
前記本発明方法の実施に直接使用可能な本発明の往復動内燃機関の排ガス浄化システムは、過給機が設けられた往復動内燃機関の排気経路に、還元剤供給部と、該還元剤供給部の下流側に還元触媒により排ガスと還元剤とを反応させてＮＯＸを低減する還元部とを設けた往復動内燃機関の排ガス浄化システムにおいて、往復動内燃機関と過給機との間の排気経路に設けられ尿素水溶液を排ガス中に供給する尿素水溶液供給部と、該尿素水溶液供給部と過給機との間の排気経路に設けられ、排気経路に供給された尿素水溶液が過給機に到達するまでに排ガスの熱で尿素水溶液を蒸発させアンモニアガスに加水分解させる尿素分解領域と、過給機の下流側排気経路に設けられ、還元触媒の存在下でアンモニアガスで排ガスのＮＯＸを還元して除去する還元部と、を備えたものである。
【００２２】
本発明システムでは、尿素水溶液供給部を往復動内燃機関と過給機との間の排ガス温度が高い排気経路に設け、高い温度の排ガスで尿素水溶液を蒸発させると共に、アンモニアガスに加水分解させる。次に、生成したアンモニアガスを過給機のタービンの強い乱流場で排ガスと均一に混合させ、この状態で還元触媒の存在下でアンモニアガスと排ガス中のＮＯＸを反応させ、ＮＯＸを還元させる。
【００２３】
このように、尿素水溶液供給部を過給機の上流側に配置したことにより、尿素水溶液をより高温の排ガス中に噴霧することができ、アンモニアガスを効率よく生成できる。また、気化したアンモニアガスがタービンに入り、タービン内の強い乱れ場にさらされてＳＣＲ触媒に入るため、排ガスとアンモニアガスの混合をより促進することができる。
また、熱容量の大きなＳＣＲ触媒を過給機の下流側に配置しているため、往復動内燃機関の過度特性悪化を抑制できる。その結果、内燃機関の燃費悪化につながる助燃バーナ等加熱設備の追設無しで、十分な排ガス浄化性能を確保することが可能となる。
【００２４】
本発明システムにおいて、尿素水溶液供給部が往復動内燃機関と排気集合管とに接続された排気枝管に設けられると共に、往復動内燃機関のクランクの位相を検知する位相検知センサを設け、往復動内燃機関の排気弁が開放されたタイミングに合わせて尿素水溶液を排気枝管に供給するように構成するとよい。
これによって、排ガスが排気経路に排出されたタイミングに合わせて還元剤水溶液を排気経路に供給できるので、尿素水溶液を無駄にすることなく、アンモニアガスとＮＯＸとの還元反応を有効に生起させ、排ガス中のＮＯＸ濃度を低減できる。
【００２５】
本発明システムにおいて、尿素水溶液供給部で尿素水溶液を排ガス中に噴霧するようにし、尿素水溶液供給部の位置を噴霧された尿素水溶液が過給機に到達する前に気化可能な位置に設定するとよい。これによって、尿素水溶液が過給機に達するまでに、尿素水溶液から効果的にアンモニアガスを発生させることができる。そのため、助燃バーナ等の追加加熱設備を必要としないため、内燃機関の燃費悪化を抑制できる。
【発明の効果】
【００２６】
本発明方法によれば、過給機が設けられた往復動内燃機関の排気経路に還元剤を供給し、還元触媒で該還元剤と排気中のＮＯＸを反応させてＮＯＸを除去するようにした往復動内燃機関の排ガス浄化方法において、往復動内燃機関と過給機との間の排気経路に尿素水溶液を供給し、排ガスの保有熱で尿素水溶液をアンモニアガスに加水分解させる尿素分解ステップと、アンモニアガスを該過給機のタービン内に形成される排ガスの乱流場に導入して排ガスと均一に混合させる混合ステップと、該タービンの下流側排気経路で、還元触媒の存在下でアンモニアガスで排ガス中のＮＯＸを還元して除去する還元ステップと、からなるので、尿素水溶液を高温の排ガス中で効率良くアンモニアガスに変換できると共に、気化したアンモニアガスとハイガスとをタービン内の強い乱れ場で均一に混合した状態でＳＣＲ触媒に導入できるので、ＳＣＲ触媒でのＮＯＸの還元反応を促進でき、これによって、ＮＯＸ低減効果を高めることができる。
【００２７】
また、熱容量の大きなＳＣＲ触媒を過給機の下流側に配置しているため、往復動内燃機関の過度特性悪化を抑制できる。その結果、内燃機関の燃費悪化につながる助燃バーナ等加熱設備の追設無しで、十分な排ガス浄化性能を確保することが可能となる。
【００２８】
本発明システムによれば、過給機が設けられた往復動内燃機関の排気経路に、還元剤供給部と、該還元剤供給部の下流側に還元触媒により排ガスと還元剤とを反応させてＮＯＸを低減する還元部とを設けた往復動内燃機関の排ガス浄化システムにおいて、往復動内燃機関と過給機との間の排気経路に設けられ尿素水溶液を排ガス中に供給する尿素水溶液供給部と、該尿素水溶液供給部と過給機との間の排気経路に設けられ、排気経路に供給された尿素水溶液が過給機に到達するまでに排ガスの保有熱で尿素水溶液をアンモニアガスに加水分解させる尿素分解領域と、過給機の下流側排気経路に設けられ、還元触媒の存在下でアンモニアガスで排ガスのＮＯＸを還元して除去する還元部と、を備えたことにより、前記本発明方法と同様の作用効果を得ることができる。
【図面の簡単な説明】
【００２９】
【図１】本発明方法及び装置の第１実施形態に係る往復動式舶用ディーゼル機関の排ガス処理装置を示す系統図である。
【図２】前記第１実施形態に係る往復動式舶用ディーゼル機関の正面視説明図である。
【図３】本発明方法及び装置の第２実施形態に係る往復動式舶用ディーゼル機関の排ガス処理装置を示す系統図である。
【図４】本発明方法及び装置の第３実施形態に係る往復動式舶用ディーゼル機関の排ガス処理装置を示す系統図である。
【図５】前記第３実施形態の制御装置のブロック線図である。
【図６】往復動式舶用ディーゼル機関の従来の排ガス処理装置を示す系統図である。
【図７】図６の往復動式舶用ディーゼル機関の正面視説明図である。
【発明を実施するための形態】
【００３０】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００３１】
（実施形態１）
本発明方法及び本発明システムを２サイクルの往復動式舶用ディーゼル機関に適用した第１実施形態を図１及び図２により説明する。図１及び図２において、２サイクルの往復動式舶用ディーゼル機関１０は、複数のシリンダ１２と、掃気室２４と、排気集合管２６とから構成されている。シリンダ１２の下部にはクランク室１４が設けられ、クランク室１４内にクランク軸１８が設けられている。シリンダ１２の内部に設けられたピストン１６がピストンロッド２０を介してクランク軸１８に接続されている。
【００３２】
各シリンダ１２の上部にシリンダヘッド１２ａが設けられ、各シリンダヘッド１２ａは、排気枝管２８を介して排気集合管２６と接続されている。シリンダヘッド１２ａの出口には排気弁２２が設けられている。
【００３３】
過給機３０のコンプレッサ３２で圧縮された被圧縮空気ａは、掃気管３６及び掃気室１４を介してシリンダ１２に供給される。シリンダ１２から排出される排ガスは、排気枝管２８を介して排気集合管２６に排出される。排気集合管２６から排気管３８に排出された排ガスは、過給機３０のタービン３４を作動させた後、排気管４４に排出される。排気管４４に排出された排ガスは、ＳＣＲ触媒が内蔵されたＳＣＲ触媒コンバータ４６に達する。
【００３４】
排気管３８に尿素水溶液供給部４２が設けられ、尿素水溶液供給部４２は配管４１を介して尿素水溶液タンク４０に接続されている。尿素水溶液タンク４０から図示省略のポンプ等によって尿素水溶液供給部４２に尿素水溶液ｂが供給される。尿素水溶液供給部４２で、尿素水溶液ｂは排気管３８内に噴霧される。図中の数値は、排気管３８又は４４を流れる排ガスの温度を示す。
【００３５】
尿素水溶液ｂは排気管３８を流れる排ガスの保有熱により蒸発すると共に、アンモニアガスに加水分解される。排気管３８は、排ガスの保有熱により尿素水溶液ｂが蒸発すると共に、アンモニアガスに加水分解されるのに十分な長さと内径とを有する。生成したアンモニアガスは、タービン３４に流入する。アンモニアガスは、タービン３４内の強い乱流場で攪拌され、排ガスと均一に混合される。タービン３４を出たアンモニアガスは、ＳＣＲ触媒コンバータ４６に達し、ＳＣＲ触媒コンバータ４６に内蔵されたＳＣＲ触媒上で排ガス中のＮＯＸと反応し、ＮＯＸが窒素と水蒸気に還元される。こうしてＮＯＸが除去された排ガスが排気管４８を経て煙突５０から外部に排出される。
【００３６】
本実施形態によれば、尿素水溶液ｂを排気管３８に供給し、排気管３８を流れる排ガスの高い保有熱で蒸発させると共に、アンモニアガスに加水分解し、さらに、生成したアンモニアガスをタービン３４の強い乱流場で排ガスと攪拌混合するようにしているので、ＳＣＲ触媒コンバータ４６でのアンモニアガスとＮＯＸとの還元反応を促進できる。
【００３７】
このように、尿素水溶液供給部４２のみを排ガス保有熱が高い過給機３０の上流側排気管３８に配置したことにより、尿素水溶液ｂをより高温の排ガス中に噴霧することができ、尿素水溶液ｂが過給機３０に達するまでに、尿素水溶液ｂを効率良くアンモニアガスに変換できる。気化したアンモニアガスがタービン３４に入り、タービン３４内の強い乱れ場にさらされてＳＣＲ触媒コンバータ４６に入るため、排ガスとアンモニアガスの混合をより促進でき、ＮＯＸ濃度を低減できる。
【００３８】
また、熱容量の大きなＳＣＲ触媒コンバータ４６を過給機３０の下流側に配置しているため、往復動式舶用ディーゼル機関１０の過度特性悪化を抑制できる。これらの結果、往復動式舶用ディーゼル機関１０の燃費悪化につながる助燃バーナ等加熱設備の追設無しで、十分な排ガス浄化性能を確保することが可能となる。
【００３９】
（実施形態２）
次に、本発明方法及び本発明システムの第２実施形態を図３により説明する。図３において、複数の排気枝管２８の各々に複数の尿素水溶液供給部５４が設けられている。尿素水溶液供給装置５２から各尿素水溶液供給部５４に配管５６を介して尿素水溶液ｂが供給される。
クランク室１４の外部に突出したクランク軸１８にはバランサ５８が装着されている。クランク軸１８の近傍には、クランク位相センサ６２が設けられ、クランク位相センサ６２でバランサ５８に取り付けられた検知マーク（図示省略）を検知することにより、クランク軸１８の位相を検知している。
【００４０】
クランク位相センサ６２の位相検知信号は、コントローラ６０に送られ、コントローラ６０では、該位相検知信号に基づいて尿素水溶液供給装置５２に制御信号を送る。この制御信号によって、シリンダヘッド１２ａに設けられた排気弁２２が開放されたタイミングに合わせて、尿素水溶液供給部５４に尿素水溶液ｂを供給するようにしている。
なお、本実施形態において、前記以外の構成は前記第１実施形態と同一であり、同一の部位又は機器には同一の符号を付している。
【００４１】
本実施形態によれば、尿素水溶液ｂを排気管３８より排ガス温度が高い排気枝管２６に供給しているので、尿素水溶液ｂを蒸発させてアンモニアガスに加水分解するのが容易になる。
また、尿素水溶液ｂを供給する排気枝管２８からタービン３４に至るまでの距離を長く取れるので、排ガスと尿素水溶液ｂとの混合を促進でき、アンモニアガスを効果的に発生させることができる。そのため、ＳＣＲ触媒コンバータ４６でのＮＯＸの還元反応を促進でき、排ガス中のＮＯＸ低減効果を高めることができる。
【００４２】
また、排気弁２２の開放タイミングに合わせて、排気枝管２６に尿素水溶液ｂを供給するようにしているので、尿素水溶液を無駄にすることなく、アンモニアガスとＮＯＸとの還元反応を有効に生起させ、排ガス中のＮＯＸ濃度を低減できる。
【００４３】
（実施形態３）
次に、本発明方法及び本発明システムの第３実施形態を図４及び図５により説明する。図４において、本実施形態において、尿素水溶液供給部５４を各排気枝管２８に設けた点は、前記第２実施形態と同様である。第２実施形態と異なる点は、クランク位相センサ６２の代わりに、クランク軸１８の回転数を検知する回転数センサ７２を設けた点である。そして、さらに、各排気枝管２８を流れる排ガスの温度を検知する排気温度センサ７４を設けていると共に、ＳＣＲ触媒コンバータ４６の下流側の排気経路４８に、アンモニア濃度センサ７６を装着している。その他の構成は、第２実施形態と同一である。
【００４４】
本実施形態では、稼動中の往復動式舶用ディーゼル機関１０の運転状態量として、回転数センサ７２でクランク軸１８の回転数を検知すると共に、排気温度センサ７４で各排気枝管２６を流れる排ガス温度を検知し、これらの検知信号をコントローラ７０に送る。
図５に示すように、ＳＣＲ触媒コンバータ４６の出口アンモニア計測値と必要尿素水溶液供給量との関係を示す相関マップと、往復動式舶用ディーゼル機関１０のクランク軸回転数と出力との関係及びこれらの値に対する必要尿素水溶液供給量との関係を示す相関マップと、排ガス温度と必要尿素供給量との関係を示す相関マップとが予め作成され、コントローラ７０に記憶されている。
【００４５】
コントローラ７０では、回転数センサ７２の検知値をもとに、既知のクランク軸回転数と往復動式舶用ディーゼル機関１０の出力との相関関係から、往復動式舶用ディーゼル機関１０の出力を求める。
【００４６】
往復動式舶用ディーゼル機関１０の出力及び排ガス温度等の運転状態量に対して、前記相関マップから尿素水溶液の必要供給量が予め求められており、これら相関マップに基づいて尿素水溶液供給量を設定し、この設定値となるように、コントローラ７０で尿素水溶液供給装置５２を制御する。
また、アンモニア濃度センサ７６で残留アンモニア濃度を検知し、前記相関マップに基づいて、残留アンモニア濃度が低減するように、コントローラ７０によって尿素水溶液供給装置５２を制御する。
【００４７】
本実施形態によれば、第２実施形態で得られる作用効果に加えて、そのときの往復動式舶用ディーゼル機関１０の運転状態に合わせて予め設定された最適の尿素水溶液を供給できるので、排ガス中のＮＯＸの還元反応を促進して、残留ＮＯＸ量を低減できる。
また、ＳＣＲ触媒コンバータ４６の下流側の残留アンモニア濃度を低減するようにコントローラ７０で尿素水溶液供給量を制御するようにしているので、外部に放出する残留アンモニア濃度も極く微量に低減できる。
【００４８】
なお、前記実施形態は、いずれも本発明を往復動式舶用ディーゼル機関に適用したものであるが、本発明の適用範囲は舶用ディーゼル機関に限定されるものではなく、定置式発電用、車両用等、他の往復動式ディーゼル機関にも適用可能である。
【産業上の利用可能性】
【００４９】
本発明によれば、排気経路に過給機を設けた往復動式内燃機関で、過給機の性能を低減することなく、ＳＣＲシステムを用いて、排ガス中のＮＯＸを効率良く除去できる。
【符号の説明】
【００５０】
１０、１００          往復動式舶用ディーゼル機関
１２、１０２          シリンダ
１２ａ、１０２ａ      シリンダヘッド
１４、１０４          クランク室
１６、１０６          ピストン
１８、１０８          クランク軸
２０、１１０          ピストンロッド
２２、１１２          排気弁
２４、１１４          掃気室
２６、１１６          排気集合管
２８、１１８          排気枝管
２８ａ                縮径部
３０、１２０          過給機
３２、１２２          コンプレッサ
３４、１２４          タービン
３６、１２６          掃気管
３８、４４、４８、１２８、１３０、１３４    排気管
４０                  尿素水溶液タンク
４、５６            配管
４２、５４、６４      尿素水溶液供給部
４６、１３２          ＳＣＲ触媒コンバータ
５０、１３６          煙突
５２                  尿素水溶液供給装置
５８                  バランサ
６０、７０            コントローラ
６２                  クランク位相センサ
７２                  回転数センサ
７４                  排気温度センサ
７６                  アンモニア濃度センサ
ａ                    被圧縮空気
ｂ                    尿素水溶液
ｃ                    アンモニア水溶液
【図１】
2011127471.tif 000003
【図２】
2011127471.tif 000004
【図３】
2011127471.tif 000005
【図４】
2011127471.tif 000006
【図５】
2011127471.tif 000007
【図６】
2011127471.tif 000008
【図７】
2011127471.tif 000009